【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
物体側から像側に順に、実質的に、
正屈折力の第１レンズ群、
負屈折力の第２レンズ群、
正屈折力の第３レンズ群、
負屈折力の第４レンズ群、
レンズを含む第５レンズ群、
正屈折力の第６レンズ群、からなり、
前記第１レンズ群と前記第２レンズ群との間の距離は、広角端よりも望遠端にて広がり、
前記第２レンズ群と前記第３レンズ群との間の距離は、広角端よりも望遠端にて狭まり、
前記第３レンズ群と前記第４レンズ群との間の距離は広角端から望遠端への変倍の際に変化し、
前記第４レンズ群と前記第５レンズ群との間の距離は広角端から望遠端への変倍の際に変化し、
前記第５レンズ群と前記第６レンズ群との間の距離は広角端から望遠端への変倍の際に変化し、
前記第１レンズ群と前記第３レンズ群との距離は、広角端よりも望遠端にて狭まる
ことを特徴とするズームレンズ。
【請求項２】
物体側から像側に順に、実質的に、
正屈折力の第１レンズ群、
負屈折力の第２レンズ群、
正屈折力の第３レンズ群、
負屈折力の第４レンズ群、
レンズを含む第５レンズ群、
正屈折力の第６レンズ群、からなり、
前記第１レンズ群は、広角端から望遠端への変倍時に位置が静止し、
前記第２レンズ群、前記第３レンズ群、前記第４レンズ群、前記第５レンズ群は広角端から望遠端への変倍に際して移動し、
前記第１レンズ群と前記第２レンズ群との間の距離は、広角端よりも望遠端にて広がり、
前記第２レンズ群と前記第３レンズ群との間の距離は、広角端よりも望遠端にて狭まり、
前記第３レンズ群と前記第４レンズ群との間の距離は広角端から望遠端への変倍の際に変化し、
前記第４レンズ群と前記第５レンズ群との間の距離は広角端から望遠端への変倍の際に変化し、
前記第５レンズ群と前記第６レンズ群との間の距離は広角端から望遠端への変倍の際に変化する
ことを特徴とするズームレンズ。
【請求項３】
前記第１レンズ群が、広角端から望遠端への変倍時に位置が静止している
ことを特徴とする請求項１に記載のズームレンズ。
【請求項４】
前記第３レンズ群が、広角端に対して望遠端にて物体側に位置する
ことを特徴とする請求項１から３の何れかに記載のズームレンズ。
【請求項５】
前記第３レンズ群が、以下の条件式（１）を満足する
ことを特徴とする請求項４に記載のズームレンズ。
０．２＜ΔＧ３／ｆ３＜１        （１）
ただし、
ΔＧ３は、前記第３レンズ群の広角端に対する望遠端での位置の変位量であり、物体側への変位を正とし、
ｆ３は、前記第３レンズ群の焦点距離、
である。
【請求項６】
前記第２レンズ群と前記第４レンズ群との間に配置され広角端に対して望遠端にて物体側に移動する明るさ絞りを有する
ことを特徴とする請求項４または５の何れかに記載のズームレンズ。
【請求項７】
前記明るさ絞りは前記第２レンズ群と前記第３レンズ群との間に配置される
ことを特徴とする請求項６に記載のズームレンズ。
【請求項８】
前記明るさ絞りは、広角端よりも望遠端にて最小Ｆナンバー時での開口サイズが大きい
ことを特徴とする請求項６または７に記載のズームレンズ。
【請求項９】
前記第４レンズ群と前記第５レンズ群が、広角端から望遠端への変倍時に移動する
ことを特徴とする請求項１に記載のズームレンズ。
【請求項１０】
前記第４レンズ群と前記第５レンズ群は、フォーカシング動作の際に移動する
ことを特徴とする請求項１から９の何れかに記載のズームレンズ。
【請求項１１】
前記第５レンズ群は負の屈折力を有し、広角端時における近距離へのフォーカシング時の移動方向と望遠端時における近距離へのフォーカシング時の移動方向が前記第４レンズ群と前記第５レンズ群とで異なる
ことを特徴とする請求項１０に記載のズームレンズ。
【請求項１２】
前記第５レンズ群は、負の屈折力を有する
ことを特徴とする請求項１から１１の何れかに記載のズームレンズ。
【請求項１３】
前記第５レンズ群は、正の屈折力を有する
ことを特徴とする請求項１から１０の何れかに記載のズームレンズ。
【請求項１４】
前記第６レンズ群が、広角端から望遠端への変倍時に位置が静止している
ことを特徴とする請求項１から１３の何れかに記載のズームレンズ。
【請求項１５】
前記第２レンズ群は、物体側から像側に順に、正レンズ、負レンズ、正レンズの３枚接合レンズ成分を有する
ことを特徴とする請求項１から１４の何れかに記載のズームレンズ。
ここで、レンズ成分とは、光路中にて空気と接する屈折面が物体側面と像側面の２つのみとなるレンズプロックである。
【請求項１６】
前記３枚接合レンズ成分が、以下の条件式（２）を満足する
ことを特徴とする請求項１から１５の何れかに記載のズームレンズ。
１＜（ｒ２１−ｒ２２）／（ｒ２１＋ｒ２２）＜５        （２）
ただし、
ｒ２１は、前記３枚接合レンズ成分中の前記負レンズの物体側面の近軸曲率半径、
ｒ２２は、前記３枚接合レンズ成分中の前記負レンズの像側面の近軸曲率半径、
である。
【請求項１７】
前記第３レンズ群は、負レンズと複数の正レンズを有し、以下の条件式（３）、（４）を
満足する
ことを特徴とする請求項１から１６の何れかに記載のズームレンズ。
７５＜νｄ３ｐ＜１００      （３）
１．４＜ｆ３１ｐ／ｆ３＜３．７  （４）
ただし、
νｄ３ｐは、前記第３レンズ群中の全ての正レンズのｄ線基準のアッベ数のうちの最大値、
ｆ３１ｐは、前記第３レンズ群中で最も物体側の正レンズの焦点距離、
ｆ３は、前記第３レンズ群の焦点距離、
である。
【請求項１８】
前記第４レンズ群は１枚の負レンズからなり、
以下の条件式（５）を満足する
ことを特徴とする請求項１から１７の何れかに記載のズームレンズ。
０．６＜（ｒ４１−ｒ４２）／（ｒ４１＋ｒ４２）＜２      （５）
ただし、
ｒ４１は、前記第４レンズ群中の前記負レンズの物体側面の近軸曲率半径、
ｒ４２は、前記第４レンズ群中の前記負レンズの像側面の近軸曲率半径、
である。
【請求項１９】
前記第５レンズ群は、１枚のレンズからなり
以下の条件式（６）を満足する
ことを特徴とする請求項１から１７の何れかに記載のズームレンズ。
−１＜（ｒ５１−ｒ５２）／（ｒ５１＋ｒ５２）＜４      （６）
ただし、
ｒ５１は、前記第５レンズ群中の前記レンズの物体側面の近軸曲率半径、
ｒ５２は、前記第５レンズ群中の前記レンズの像側面の近軸曲率半径、
である。
【請求項２０】
前記第５レンズ群は、１枚の負レンズからなり
以下の条件式（６−１）を満足する
ことを特徴とする請求項１２に記載のズームレンズ。
０＜（ｒ５１−ｒ５２）／（ｒ５１＋ｒ５２）＜４      （６−１）
ただし、
ｒ５１は、前記第５レンズ群中の前記レンズの物体側面の近軸曲率半径、
ｒ５２は、前記第５レンズ群中の前記レンズの像側面の近軸曲率半径、
である。
【請求項２１】
前記第５レンズ群は、１枚の正レンズからなり
以下の条件式（６−２）を満足する
ことを特徴とする請求項１３に記載のズームレンズ。
−１＜（ｒ５１−ｒ５２）／（ｒ５１＋ｒ５２）＜０      （６−２）
ただし、
ｒ５１は、前記第５レンズ群中の前記レンズの物体側面の近軸曲率半径、
ｒ５２は、前記第５レンズ群中の前記レンズの像側面の近軸曲率半径、
である。
【請求項２２】
望遠端にて、無限遠合焦状態から至近合焦状態へのフォーカシングの際に、前記第４レンズ群と前記第５レンズ群が以下の条件式（７）を満足して移動する
ことを特徴とする請求項１から２１の何れかに記載のズームレンズ。
０．２＜｜ΔＧ５（Ｔ）／ΔＧ４（Ｔ）｜＜２      （７）
ただし、
ΔＧ４（Ｔ）は、望遠端における前記第４レンズ群の無限遠合焦状態から至近合焦状態へのフォーカシングの際の移動量、
ΔＧ５（Ｔ）は、望遠端における前記第５レンズ群の無限遠合焦状態から至近合焦状態へのフォーカシングの際の移動量、
である。
【請求項２３】
以下の条件式（８）、（９）を満足する
ことを特徴とする請求項１から２２の何れかに記載のズームレンズ。
３．２＜ｆｔ／ｆｗ＜６    （８）
１．４＜ＦＮＯ（Ｔ）＜３．２    （９）
ただし、
ｆｔは、前記ズームレンズの望遠端での焦点距離、
ｆｗは、前記ズームレンズの広角端での焦点距離、
ＦＮＯ（Ｔ）は、前記ズームレンズの望遠端でのＦナンバー
である。
【手続補正２】
【補正対象書類名】明細書
【補正対象項目名】００１０
【補正方法】変更
【補正の内容】
【００１０】
上述の課題を解決するための第１の側面における本発明のズームレンズは、物体側から像側に順に、実質的に、正屈折力の第１レンズ群、負屈折力の第２レンズ群、正屈折力の第３レンズ群、負屈折力の第４レンズ群、レンズを含む第５レンズ群、正屈折力の第６レンズ群、からなり、第１レンズ群と第２レンズ群との間の距離は、広角端よりも望遠端にて広がり、第２レンズ群と第３レンズ群との間の距離は広角端よりも望遠端にて狭まり、第３レンズ群と第４レンズ群との間の距離は広角端から望遠端への変倍の際に変化し、第４レンズ群と第５レンズ群との間の距離は広角端から望遠端への変倍の際に変化し、第５レンズ群と第６レンズ群との間の距離は広角端から望遠端への変倍の際に変化し、第１レンズ群と第３レンズ群との距離は、広角端よりも望遠端にて狭まることを特徴としている。
【手続補正３】
【補正対象書類名】明細書
【補正対象項目名】００１１
【補正方法】変更
【補正の内容】
【００１１】
上述の課題を解決するための第２の側面における本発明のズームレンズは、物体側から像側に順に、実質的に、正屈折力の第１レンズ群、負屈折力の第２レンズ群、正屈折力の第３レンズ群、負屈折力の第４レンズ群、レンズを含む第５レンズ群、正屈折力の第６レンズ群、からなり、第１レンズ群は、広角端から望遠端への変倍時に位置が静止し、第２レンズ群、第３レンズ群、第４レンズ群、第５レンズ群は広角端から望遠端への変倍に際して移動し、第１レンズ群と第２レンズ群との間の距離は、広角端よりも望遠端にて広がり、第２レンズ群と第３レンズ群との間の距離は広角端よりも望遠端にて狭まり、第３レンズ群と第４レンズ群との間の距離は広角端から望遠端への変倍の際に変化し、第４レンズ群と第５レンズ群との間の距離は広角端から望遠端への変倍の際に変化し、第５レンズ群と第６レンズ群との間の距離は広角端から望遠端への変倍の際に変化することを特徴としている。
【手続補正４】
【補正対象書類名】明細書
【補正対象項目名】００８１
【補正方法】変更
【補正の内容】
【００８１】
条件式（２）について
下限値を２、さらには２．５とすることがより好ましい。
上限値を４．５、さらには４とすることがより好ましい。